(57)【要約】【課題】構造が単純で施工の容易な嵌め殺し窓用の方立を提供すること。【解決手段】方立本体１と、方立本体の室外側面に固定し方立の室外側の左右両側に位置するガラスパネル２，２の室内側面を受けるガラスパネル室内側面支持材３と、ガラスパネル室内側面支持材の室外側に取付ける室外側押縁材４とを備え、室外側押縁材４は、室内側端部がガラスパネル室内側面支持材３の左右方向中間部に係合し、室外側端部が左右両側のガラスパネル２，２の室外側面を受けていることを特徴とする。【選択図】      図１
2004250964.tif 000002
【特許請求の範囲】
【請求項１】
方立本体と、方立本体の室外側面に固定し方立の室外側の左右両側に位置するガラスパネルの室内側面を受けるガラスパネル室内側面支持材と、ガラスパネル室内側面支持材の室外側に取付ける室外側押縁材とを備え、室外側押縁材は、室内側端部がガラスパネル室内側面支持材の左右方向中間部に係合し、室外側端部が左右両側のガラスパネルの室外側面を受けていることを特徴とする方立。
【請求項２】
室外側押縁材は、室内外方向の中間部を断熱材でブリッジしてあるものと金属のみからなるものの２種類あって、これらを適宜選択して取付けできるようにしたことを特徴とする請求項１記載の方立。
【発明の詳細な説明】
【０００１】
【発明の属する技術分野】
本発明は、サッシやカーテンウォールに用いられる方立に関するものである。
【０００２】
【従来の技術】
嵌め殺しの連窓を構成する方立は、一般的に図６に示すように、角筒状となった本体部９０の室外側に、ガラスパネル９１を取り付けるための断面Ｔ字状のガラス取付部９２を備えている。ガラス取付部９２は、本体部９０の中央から室外側に延びる見込み片９３と、見込み片の先端から左右両側に延びる見付け片９４とからなる。ガラスパネル９１の取り付けは、ガラスパネルの側端部をガラス取付部９２に呑み込ませ、ガラスパネルの室内側に押縁材９５を嵌め込むことにより行っている。サッシの一部に開閉障子を設ける場合などは見付け片９４が邪魔になることがあり、またガラスパネルの保持構造も複数あるため、方立を本体部とこれに連結されるアタッチメントの組み合わせにより構成する場合もある（例えば特許文献１参照。）。
【０００３】
また、寒冷地に設置されるサッシにおいては、方立や無目に断熱性に優れた樹脂部材を介在させ、断熱性を向上させて結露の発生を抑えることが通常行われている。
【０００４】
【特許文献１】
特開平６−６５９７７号公報
【０００５】
【発明が解決しようとする課題】
上記した一般的な方立の場合には、方立の左右両側のガラスパネルを保持するために、押縁を左右別々に室内側から装着する必要があり、若干煩わしい面があった。また、方立を本体部とアタッチメントとの組み合わせによって構成するものは、構造が複雑でアタッチメントの取付け等に時間が掛かり、ガラス工事の作業性も良好ではなかった。またそのように方立の構造が複雑になったことに加え、メーカーは断熱サッシ用と通常サッシ用に二種類の方立を製作しなければならないため、必要な部材の種類が膨大となって、それらの生産や管理に多大な費用を要していた。
本発明は以上に述べたような実情に鑑みてなされたものであって、請求項１記載の発明は、構造が単純で施工の容易な嵌め殺し窓用の方立を提供することを課題とし、さらに請求項２記載の発明は、断熱サッシ用と通常のサッシ用とで部材の共通化を図ってコストを削減することを課題とする。
【０００６】
【課題を解決するための手段】
上記の課題を達成するために請求項１記載の発明による方立は、方立本体と、方立本体の室外側面に固定し方立の室外側の左右両側に位置するガラスパネルの室内側面を受けるガラスパネル室内側面支持材と、ガラスパネル室内側面支持材の室外側に取付ける室外側押縁材とを備え、室外側押縁材は、室内側端部がガラスパネル室内側面支持材の左右方向中間部に係合し、室外側端部が左右両側のガラスパネルの室外側面を受けていることを特徴とする。
【０００７】
さらに請求項２記載の発明による方立は、室外側押縁材は、室内外方向の中間部を断熱材でブリッジしてあるものと金属のみからなるものの２種類あって、これらを適宜選択して取付けできるようにしたことを特徴とする。
【０００８】
【発明の実施の形態】
以下、本発明の実施の形態を図面に基づいて説明する。図３はサッシの室外側正面図であり、図１はそのＡ−Ａ断面図、図２はＢ−Ｂ断面図である。このサッシは、躯体開口部Ｈに複数本の方立９を一定の間隔をおいて設置し、各方立間の上端部と下端部に上下の無目材１０，１１をそれぞれ架設し、方立９と無目材１０，１１とで構成される各開口部の内周に設けられた溝にガラスパネル２を嵌め殺し状に保持させて構成したものである。図２中の１２ａ，１２ｂは、方立９を躯体１３に固定している金具であり、１４ａ，１４ｂは無目材１０，１１を方立９に固定している金具である。
【０００９】
方立９は、図１に示すように、角筒状に形成された方立本体１と、方立本体の室外側面１５に固定され、方立の室外側の左右両側に位置するガラスパネル２，２の室内側面を受けるガラスパネル室内側面支持材３と、ガラスパネル室内側面支持材３の室外側に取付けられ、左右のガラスパネル２，２の室外側面を受ける室外側押縁材４の３つの部材によって構成されている。方立本体１の室外側面１５には、長手方向に連続した鉤型の係止片１６を、両サイドに開口部を内側に向けて２列、その内側に開口部を外側に向けて２列備えている。ガラスパネル室内側面支持材３は、断面略Ｃ字状に形成され、その室内側面１７には、室内側に向けて２列の係止片１８とねじ止め部１９を突出形成してあり、その係止片１８を方立本体の係止片１６と係合すると共に、ねじ止め部１９を方立本体の室外側面１５にねじ止めすることで、方立本体１に固定してある。さらにガラスパネル室内側面支持材３の室内側面１７には、中央寄りの二箇所に、右側に向けて開口する鉤型の係止片２０を、室外側に突出して備えている。また、ガラスパネル室内側面支持材３の室外側端部には、左右両側のガラスパネル２の室内側面をそれぞれ受ける受け面２１を備えており、その室外側の面にガラスパネルの押え部材２２を備えている。室外側押縁材４は、室内外方向に延びる見込み片６と左右方向に延びる見付け片７とで、断面略Ｔ字状に形成されている。見込み片６の室内側端部は、ガラスパネル室内側面支持材３の係止片２０と係合する係合固定部２３となっている。見付け片７は、左右両側のガラスパネル２の室外側面を受けるものとなっており、その室内側の面にはガラスパネルの押え部材２４を有している。
【００１０】
図２に示すように、下の無目材１１はガラスパネル２の室外側面を押縁２５で受けている。上の無目材１０は押縁を有さず、一体に形成した溝にガラスパネル２を嵌め込んでいる。すなわち本サッシは、ガラスパネル２の室外側の３辺を押縁で受けている。なお図中の２６は、ガラスパネルのセッティングブロックである。
【００１１】
本サッシを施工する際の手順を簡単に述べる。まず方立本体１を躯体１３に固定し、方立本体１に上下の無目材１０，１１を架設する。次に、ガラスパネル室内側面支持材３を各方立本体１に取付ける。次に、方立９の左右に二枚のガラスパネル２をセッティングしながら、順次、室外側押縁材４の取付けを行ってガラスパネル２を固定していく。室外側押縁材４の取付けは、室外側押縁材の見込み片６を左右のガラスパネル２，２の間からガラスパネル室内側面支持材３の内部に差し込み、先端の係合固定部２３を若干右から左に動かすようにしてガラスパネル室内側面支持材の係止片２０と係合させ、固定する。このように本発明の方立９によれば、一つの押縁材４を室外側から係合取付けすることで、左右のガラスパネル２，２の側端部を同時に固定できるので、連窓のガラスパネル２の取付けを能率良く短時間で行うことができる。その後、下の無目材１１に押縁２５を取付ければガラスパネル２の四辺が溝内に固定され、さらに溝内にシーリング材２７を充填する。なお、下の無目材の押縁２５の取付けは、方立の室外側押縁材４の取付け前に行っても良い。
【００１２】
図４と図５は、本サッシを断熱サッシとした場合の実施形態を示している。構造や寸法は、これまでに述べた通常のサッシと基本的に同一となっている。方立９で言えば、方立本体１、ガラスパネル室内側面支持材３は全く同一のものを使用しており、室外側押縁材５のみが断熱サッシ専用のものとなっている。室外側押縁材５は、見込み片６の中間部を断熱材８でブリッジしてある。すなわち見込み片６は、室内側の部材６ａと室外側の部材６ｂとに分割して形成され、その二つの部材を断熱性の硬質ポリウレタンを用いた断熱材８によって連結してある。上の無目材２８と下の無目材２９も、同じように室内側の部材と室外側の部材とに分割し、両部材を断熱材８でブリッジして連結している。このように形成したことで、方立９と無目材２８，２９は、室内側と室外側の間で熱の移動が阻止され、結露の発生を防止できる。
【００１３】
なお本サッシでは、方立本体１、ガラスパネル室内側面支持材３、室外側押縁材４，５、上下の無目材１０，１１，２８，２９には、アルミニウム合金の押出し形材を用いており、ガラスパネル２は、２枚の板ガラスの間に空気層を持った複層ガラスを用いている。
【００１４】
本発明は、以上に述べた実施形態に限定されない。室外側押縁材の室内側端部がガラスパネル室内側面支持材と係合する部分の具体的な構造は、両者を確実に連結できるものであればよく、また、単に係合させるだけでなく補強的にねじ止めしたり、接着剤で接着しても良い。ガラスパネルを保持する部分のシールやパッキンの構造についても限定しない。
【００１５】
【発明の効果】
請求項１記載の発明による方立は、単純な構成となっているので組立てが容易であり、また室外側から一つの押縁材を係合取付けることで、左右のガラスパネルの保持が同時になされるため、嵌め殺しの連窓を短時間で能率良く施工できる。
【００１６】
さらに請求項２記載の発明によれば、２種類の室外側押縁材を適宜選択することで、方立を断熱サッシ用と通常サッシ用の何れにもすることができ、部品の共通化が図られコストを低減できる。
【図面の簡単な説明】
【図１】図３におけるＡ−Ａ断面図である。
【図２】図３におけるＢ−Ｂ断面図である。
【図３】本発明のサッシの一実施形態を示す室外側正面図である。
【図４】断熱サッシとした場合の方立の横断面図である。
【図５】（イ）（ロ）断熱サッシとした場合の上下の各無目材の縦断面図である。
【図６】従来の一般的な方立の横断面図である。
【符号の説明】
１  方立本体
２  ガラスパネル
３  ガラスパネル室内側面支持材
４  室外側押縁材（通常サッシ用）
５  室外側押縁材（断熱サッシ用）
８  断熱材
９  方立
【図１】
2004250964.tif 000003
【図２】
2004250964.tif 000004
【図３】
2004250964.tif 000005
【図４】
2004250964.tif 000006
【図５】
2004250964.tif 000007
【図６】
2004250964.tif 000008